(57)【要約】【課題】バルブの周囲温度が所定温度から低下した時と上昇した時との少なくとも一方において温度変化に伴う無電極放電灯の光出力の低下を抑制する。【解決手段】高周波電源回路５は、誘導コイル３に高周波電力を供給することでバルブ２内の放電ガスに高周波電磁界を作用させる。時分割調光回路６は、無電極放電灯４が点灯するオン期間と点灯しないオフ期間とを周期的に交互に繰り返すように高周波電源回路５を制御することで無電極放電灯４を調光点灯させる。時分割調光回路６は、１周期に占めるオン期間の割合であるオンデューティを調節するデューティ制御回路１０と、バルブ２の周囲温度を検出するコンデンサＣ４とを有し、デューティ制御回路１０は、無電極放電灯４の調光点灯時におけるバルブ２の周囲温度の低下時および上昇時には前記オンデューティが大きくなるように、コンデンサＣ４の検出温度に応じてオンデューティを決定する。【選択図】図１
2009176685.tif 000002
【特許請求の範囲】
【請求項１】
放電ガスを封入したバルブに誘導コイルが近接配置されてなる無電極放電灯を点灯させる無電極放電灯点灯装置であって、誘導コイルに高周波電力を供給することで誘導コイルから放電ガスに高周波電磁界を作用させる高周波電源回路と、誘導コイルに供給される高周波電力を無電極放電灯が点灯する大きさに設定するオン期間と点灯しない大きさに設定するオフ期間とを周期的に交互に繰り返すように高周波電源回路を制御することで無電極放電灯を調光点灯させる時分割調光回路とを備え、時分割調光回路は、１周期に占めるオン期間の割合であるオンデューティを調節するデューティ制御回路と、バルブの周囲温度を検出する感温素子とを有し、デューティ制御回路は、無電極放電灯の調光点灯時において、バルブの周囲温度が所定温度にあるときに無電極放電灯の光出力が所望の大きさとなるように前記オンデューティを調節し、且つバルブの周囲温度が前記所定温度の低温側と高温側との少なくも一方において前記所定温度から離れるほど前記オンデューティが大きくなるように、感温素子の検出温度に応じて前記オンデューティを決定することを特徴とする無電極放電灯点灯装置。
【請求項２】
前記デューティ制御回路は、制御端子に接続された外付部品によって前記オンデューティを決定する集積回路を具備し、当該外付部品として前記感温素子が用いられていることを特徴とする請求項１記載の無電極放電灯点灯装置。
【請求項３】
前記感温素子は、前記バルブの周囲温度に応じて静電容量を変化させる容量素子であって、前記所定温度の低温側と高温側との両方において前記デューティ制御回路の前記オンデューティを増加させることを特徴とする請求項１または請求項２に記載の無電極放電灯点灯装置。
【請求項４】
前記感温素子は、前記バルブの周囲温度に応じて抵抗値を変化させる抵抗素子であって、前記所定温度の低温側において前記デューティ制御回路の前記オンデューティを増加させることを特徴とする請求項１または請求項２に記載の無電極放電灯点灯装置。
【請求項５】
請求項１ないし請求項４のいずれか１項に記載の無電極放電灯点灯装置と、放電ガスを封入したバルブに誘導コイルが近接配置されてなる無電極放電灯とを備えることを特徴とする照明器具。
【発明の詳細な説明】
【技術分野】
【０００１】
本発明は、放電ガスが封入されたバルブに誘導コイルを近接配置してなる無電極放電灯を点灯させる無電極放電灯点灯装置および照明器具に関するものである。
【背景技術】
【０００２】
従来から、放電ガスが封入されたバルブに誘導コイルを近接配置してなり、誘導コイルから放電ガスに高周波電磁界を作用させることで発光する無電極放電灯を点灯させる無電極放電灯点灯装置が提供されている。
【０００３】
この種の無電極放電灯点灯装置として、誘導コイルに高周波電力を供給して前記高周波電磁界を発生させる高周波電源回路と、高周波電源回路の出力を制御することにより無電極放電灯を調光点灯させる時分割調光回路とを備えたものがある。
【０００４】
この無電極放電灯点灯装置では、時分割調光回路において高周波電源回路の駆動周波数を切り替えることにより、誘導コイルに供給する高周波電力を無電極放電灯が点灯する大きさに設定するオン期間と点灯しない大きさに設定するオフ期間とを周期的に交互に切り替え、１周期に占めるオン期間の割合（以下、オンデューティという）を調節することで無電極放電灯の調光を行うことができる（たとえば特許文献１参照）。
【特許文献１】特開２０００−３５３６００号公報
【発明の開示】
【発明が解決しようとする課題】
【０００５】
ところで、一般的な無電極放電灯は、バルブ内の放電ガスとして水銀蒸気と希ガスとの混合気体を用いており、水銀の励起発光を利用して点灯するので、外気温や点灯中に無電極放電灯から発生する熱などの影響を受けて水銀蒸気圧が変動すると、光出力が変動する。通常、バルブの周囲温度が所定温度にあるときには、無電極放電灯の光出力が所望の大きさとなるものの、バルブの周囲温度が前記所定温度から低下した時および上昇したときには、無電極放電灯の光出力は低下することとなる。
【０００６】
なお、温度変化時に無電極放電灯の光出力を安定させるために、バルブ内の水銀蒸気圧を一定の範囲に制御する目的でバルブ内にアマルガムを封入する場合があるが、アマルガムを封入した無電極放電灯であっても、アマルガム自体の温度も周囲温度の影響を受けて変化するため、バルブ内の水銀蒸気圧を一定に維持することは難しく、結局、温度変化に伴って光出力が変動する可能性がある。特に、調光点灯時であって調光比が小さい場合や低温時には、アマルガムの温度が十分に上昇せずアマルガムが固体化し、無電極放電灯の点灯状態を維持できなくなる可能性もある。
【０００７】
本発明は上記事由に鑑みてなされたものであって、バルブの周囲温度が所定温度から低下した時と上昇した時との少なくとも一方において温度変化に伴う無電極放電灯の光出力の低下を抑制することができる無電極放電灯点灯装置および照明器具を提供することを目的とする。
【課題を解決するための手段】
【０００８】
請求項１の発明は、放電ガスを封入したバルブに誘導コイルが近接配置されてなる無電極放電灯を点灯させる無電極放電灯点灯装置であって、誘導コイルに高周波電力を供給することで誘導コイルから放電ガスに高周波電磁界を作用させる高周波電源回路と、誘導コイルに供給される高周波電力を無電極放電灯が点灯する大きさに設定するオン期間と点灯しない大きさに設定するオフ期間とを周期的に交互に繰り返すように高周波電源回路を制御することで無電極放電灯を調光点灯させる時分割調光回路とを備え、時分割調光回路が、１周期に占めるオン期間の割合であるオンデューティを調節するデューティ制御回路と、バルブの周囲温度を検出する感温素子とを有し、デューティ制御回路が、無電極放電灯の調光点灯時において、バルブの周囲温度が所定温度にあるときに無電極放電灯の光出力が所望の大きさとなるように前記オンデューティを調節し、且つバルブの周囲温度が前記所定温度の低温側と高温側との少なくも一方において前記所定温度から離れるほど前記オンデューティが大きくなるように、感温素子の検出温度に応じて前記オンデューティを決定することを特徴とする。
【０００９】
この構成によれば、時分割調光回路に設けたデューティ制御回路が、無電極放電灯の調光点灯時において、バルブの周囲温度が所定温度の低温側と高温側との少なくも一方において前記所定温度から離れるほど前記オンデューティが大きくなるように、感温素子の検出温度に応じて前記オンデューティを決定するので、バルブの周囲温度が所定温度から低下した時と上昇した時との少なくとも一方において温度変化に伴う無電極放電灯の光出力の低下を抑制することができる。
【００１０】
請求項２の発明は、請求項１の発明において、前記デューティ制御回路が、制御端子に接続された外付部品によって前記オンデューティを決定する集積回路を具備し、当該外付部品として前記感温素子が用いられていることを特徴とする。
【００１１】
この構成によれば、デューティ制御回路が集積回路を含むので、無電極放電灯点灯装置の小型化を図ることができる。
【００１２】
請求項３の発明は、請求項１または請求項２の発明において、前記感温素子が、前記バルブの周囲温度に応じて静電容量を変化させる容量素子であって、前記所定温度の低温側と高温側との両方において前記デューティ制御回路の前記オンデューティを増加させることを特徴とする。
【００１３】
この構成によれば、バルブの周囲温度が所定温度の低温側と高温側との少なくも一方において前記所定温度から離れるほどオンデューティが増加するので、バルブの周囲温度が所定温度から低下した時と上昇した時との両方において温度変化に伴う光出力の低下を抑制することができる。
【００１４】
請求項４の発明は、請求項１または請求項２の発明において、前記感温素子が、前記バルブの周囲温度に応じて抵抗値を変化させる抵抗素子であって、前記所定温度の低温側において前記デューティ制御回路の前記オンデューティを増加させることを特徴とする。
【００１５】
この構成によれば、バルブの周囲温度が所定温度の低温側において前記所定温度から離れるほどオンデューティが増加するので、バルブの周囲温度が所定温度から低下した時において温度変化に伴う光出力の低下を抑制することができる。
【００１６】
請求項５の発明は、請求項１ないし請求項４のいずれか１項に記載の無電極放電灯点灯装置と、放電ガスを封入したバルブに誘導コイルが近接配置されてなる無電極放電灯とを備えることを特徴とする。
【００１７】
この構成によれば、無電極放電灯の調光点灯時におけるバルブの周囲温度の低下時と上昇時との少なくとも一方において、温度変化に伴う無電極放電灯の光出力の低下を抑制することができるので、たとえば屋外のように温度変化の生じやすい環境下で照明器具を使用しても、無電極放電灯の調光点灯時における光出力を一定に維持することができるという利点がある。
【発明の効果】
【００１８】
本発明は、バルブの周囲温度の低下時と上昇時との少なくとも一方において温度変化に伴う無電極放電灯の光出力の低下を抑制することができるという利点がある。
【発明を実施するための最良の形態】
【００１９】
（実施形態１）
本実施形態の無電極放電灯点灯装置（以下、点灯装置と略称する）１は、図２に示すように、金属蒸気と不活性ガスとの混合気体である放電ガスを封入したバルブ２に誘導コイル３を含むカプラ（図示せず）を近接配置してなる無電極放電灯４を点灯させるものであって、誘導コイル３に高周波電力を供給することで誘導コイル３から放電ガスに高周波電磁界を作用させる高周波電源回路５と、無電極放電灯４を調光点灯させるように高周波電源回路５の出力を制御する時分割調光回路６とを備えている。時分割調光回路６は、詳しくは後述するが、誘導コイル３に供給される高周波電力を無電極放電灯４が点灯する大きさに設定するオン期間と、点灯しない大きさに設定するオフ期間とを周期的に交互に繰り返すことにより無電極放電灯４を調光点灯させるものである。
【００２０】
本実施形態では、無電極放電灯４の具体例として、ガラス製のバルブ２内に水銀および希ガス（たとえばアルゴンガス）が放電ガスとして封入され、バルブ２の内表面に紫外線を可視光線に変換する蛍光体が塗布されたものを考えている。上述した構成によれば、無電極放電灯４は、誘導コイル３により高周波電磁界が放電ガスに作用すると、放電ガスが励起されて紫外線を発生し、これにより蛍光体が発光する。この無電極放電灯４は、バルブ２の一部に、バルブ２の中心に向かって陥没したキャビティ部を有している。カプラは、略円筒状に形成されて外周に誘導コイル３が巻装された磁性体コア（図示せず）を具備し、バルブ２のキャビティ部内に挿入される形で無電極放電灯４に近接配置される。
【００２１】
高周波電源回路５は、直流電圧を出力する直流電源部７と、直流電源部７の出力端間に直列に接続された一対のスイッチング素子Ｑ１，Ｑ２と、スイッチング素子Ｑ１，Ｑ２をオンオフ制御するインバータ駆動回路８と、スイッチング素子Ｑ２の両端間に接続されたインダクタＬ１およびコンデンサＣ１の直列回路と当該直列回路の接続点に一端が接続されたコンデンサＣ２とからなる共振回路とを有している。コンデンサＣ１のインダクタＬ１とは反対側の端子はスイッチング素子Ｑ２と共に回路グランドに接続され、コンデンサＣ２の他端と回路グランドとの間には誘導コイル３が接続される。ここで、直流電源部７は、商用電源ＡＣを全波整流するダイオードブリッジＤＢと、ダイオードブリッジＤＢの出力端間に接続されたインダクタＬ２およびスイッチ要素ＳＷ１の直列回路と、スイッチ要素ＳＷ１の両端間に接続されたダイオードＤ１および平滑コンデンサＣ３の直列回路と、スイッチ要素ＳＷ１をオンオフ制御するチョッパ駆動回路９とを具備し、スイッチ要素ＳＷ１を高周波スイッチングすることで平滑コンデンサＣ３の両端に直流の出力電圧を発生する昇圧チョッパ回路からなる。
【００２２】
しかして、無電極放電灯４の始動時および定常点灯時には、インバータ駆動回路８がスイッチング素子Ｑ１，Ｑ２の制御端子に矩形波からなるスイッチング信号を出力しスイッチング素子Ｑ１，Ｑ２を所定のスイッチング周波数で交互にオンオフさせることにより、共振回路によって正弦波状に変換された高周波電力を誘導コイル３に供給することで、無電極放電灯４を始動および点灯させることができる。
【００２３】
すなわち、上記構成の点灯装置１によれば、直流電源部７から直流電圧が出力されると、インバータ駆動回路８が一対のスイッチング素子Ｑ１，Ｑ２をスイッチング信号で交互にオンさせ、これにより、インダクタＬ１、コンデンサＣ１およびコンデンサＣ２を介して誘導コイル３に数十ｋＨｚ〜数ＭＨｚの高周波電圧が印加される。誘導コイル３に数十ｋＨｚ〜数ＭＨｚの高周波電圧が印加されると、バルブ２内の偶存電子が電磁誘導電界によって加速されことにより放電が発生し無電極放電灯４が点灯する。なお、高周波電圧の周波数を、数十ｋＨｚ〜数ＭＨｚの範囲とするのは、高周波電圧の周波数が数十ｋＨｚ未満では誘導コイル３の巻数、または誘導コイル３が巻回される磁性体コアの容積が大きくなって実用的なサイズに収まらなくなり、また、高周波電圧の周波数が数ＭＨｚを超える場合には、高周波電源回路５の損失が大きくなるとともに、表皮効果により誘導コイル３の損失も大きくなるという問題があるからである。
【００２４】
時分割調光回路６は、インバータ駆動回路８に接続されインバータ駆動回路８の動作を制御することで高周波電源回路５の出力を制御するデューティ制御回路１０と、ダイオードブリッジＤＢの入力端間（つまり商用電源ＡＣ）に接続された一対のコンデンサＣ４，Ｃ５の直列回路と、これらのコンデンサＣ４，Ｃ５の接続点とデューティ制御回路１０の制御端子１０ａとの間に接続されたダイオードＤ２および抵抗Ｒ２の直列経路と、ダイオードＤ２および抵抗Ｒ２の接続点と回路グランドとの間にそれぞれ接続されたコンデンサＣ６および抵抗Ｒ１とを備える。
【００２５】
この時分割調光回路６は、インバータ駆動回路８に対して図２に例示するようにオンとオフとの２種類の出力を周期的に交互に繰り返すものであって、ここではデューティ制御回路１０が、制御端子１０ａとなるデッドタイムコントロール端子に入力された電圧（以下、デッドタイム入力電圧という）の大きさに応じて出力のオンデューティ（図２におけるＴｏｎ／（Ｔｏｎ＋Ｔｏｆｆ））を変化させる集積回路（たとえばＮＥＣエレクトロニクス社製のμＰＣ４９４）からなる。デューティ制御回路１０の制御端子１０ａには、外付部品となるコンデンサＣ４，Ｃ５によって分圧された電圧を、ダイオードＤ２、コンデンサＣ６、抵抗Ｒ１および抵抗Ｒ２で整流・平滑してなる直流電圧が印加される。ここで、デューティ制御回路１０のデッドタイム入力電圧と出力のオンデューティとの間の関係は、図３に示すようにデッドタイム入力電圧が低くなるほどオンデューティが大きくなる特性を持つ。
【００２６】
ここにおいて、インバータ駆動回路８は、時分割調光回路６（デューティ制御回路１０）の出力に応じてスイッチング素子Ｑ１，Ｑ２のスイッチング周波数を切り替えるように動作する。ここでは、デューティ制御回路１０の出力がオンのときのスイッチング周波数は、インダクタＬ１およびコンデンサＣ１とコンデンサＣ２とで決定される高周波電源回路５の共振周波数（たとえば１３５ｋＨｚ）に近くなるように設定されており、したがって、デューティ制御回路１０の出力がオンのときには誘導コイル３に供給される高周波電力は比較的大きく、無電極放電灯４は点灯状態となる。一方、デューティ制御回路１０の出力がオフのときのスイッチング周波数は、出力がオンのときのスイッチング周波数よりも高い周波数（たとえば２００ｋＨｚ以上）となり、高周波電源回路５の共振周波数から離れる。したがって、デューティ制御回路１０の出力がオフになると誘導コイル３に供給される高周波電力が減少し、無電極放電灯４は不点灯状態となる。
【００２７】
すなわち、本実施形態では時分割調光回路６の出力のオンオフが交互に繰り返されることで、無電極放電灯４が点灯するオン期間と点灯しないオフ期間とが交互に繰り返されることになる。ここで、時分割調光回路６の出力のオンオフ周波数は、使用者に無電極放電灯４の点滅によるちらつきを感じさせないようにたとえば１００Ｈｚ以上に設定される。このとき、デューティ制御回路１０のデッドタイム入力電圧の大きさを変化させて１周期に占めるオン期間の割合であるオンデューティを変化させることで無電極放電灯４の調光比を調節することができ、無電極放電灯４の点灯時に所望の光出力となるようにオンデューティが設定される。
【００２８】
ところで、本実施形態の点灯装置１においては、時分割調光回路６に含まれるコンデンサＣ４として、図４に示すように周囲温度が所定温度から低下した時と上昇した時との両方において静電容量が減少する特性（つまり、周囲温度が前記所定温度のときに静電容量が極大となる特性）を持つ感温素子を用いている。ここで、コンデンサＣ４の周囲温度にバルブ２の周囲温度が反映されるように、コンデンサＣ４はバルブ２に近接配置される。
【００２９】
これにより、無電極放電灯４の点灯時（調光点灯時）において、バルブ２の周囲温度が所定温度（図４で静電容量が最大となる温度）から低下あるいは上昇すると、コンデンサＣ４の静電容量は減少し、コンデンサＣ５に印加される電圧が相対的に低下する。このとき、デューティ制御回路１０の制御端子１０ａに印加されるデッドタイム入力電圧が低下することになり、これに伴って時分割調光回路６の出力のオンデューティが増加する。換言すると、１周期に占めるオン期間の割合であるオンデューティは、図５に示すようにバルブ２の周囲温度が前記所定温度の低温側と高温側との両方において前記所定温度から離れるほど増加する温度特性を有することとなる。
【００３０】
このように、デッドタイム入力電圧の大きさを決定するコンデンサ（容量素子）Ｃ４に感温素子を用いたことにより、無電極放電灯４の調光点灯時におけるバルブ２の周囲温度の低下時と上昇時との両方において、オンデューティを増加させて無電極放電灯４へ供給される電力量を増加させることができる。その結果、バルブ２の周囲温度が低下した時および上昇した時に、バルブ２内の金属蒸気（水銀蒸気）の蒸気圧が変動しても、無電極放電灯４に供給される電力量を増加することで、図６に実線で示すように無電極放電灯４の光出力の低下（図６に破線で示す）を抑制することができる。要するに、無電極放電灯４の調光点灯時において、無電極放電灯４の光出力を所望の大きさ以上に維持可能となるバルブ２の周囲温度の範囲を、従来構成に比べて拡大することができる。
【００３１】
また、本実施形態の他の構成例として、図７に示すような構成の時分割調光回路６を採用することも考えられる。図７の時分割調光回路６は、図１のコンデンサＣ４〜Ｃ６、抵抗Ｒ１，Ｒ２、ダイオードＤ２に代えて、後述の制御信号が入力される入力端と回路グランドとの間に接続された抵抗Ｒ４およびコンデンサＣ７の直列回路と、抵抗Ｒ４と並列に接続されコンデンサＣ７の放電経路を形成するダイオードＤ３および抵抗Ｒ３の直列回路と、抵抗Ｒ４およびコンデンサＣ７の接続点に非反転入力端が接続されバッファを形成するオペアンプＯＰ１と、オペアンプＯＰ１の出力端と回路グランドとの間に接続された抵抗Ｒ５およびコンデンサＣ８の直列回路とを備え、コンデンサＣ８の両端電圧がデューティ制御回路１０の制御端子１０ａに印加されるように構成されている。
【００３２】
ここで用いるデューティ制御回路１０は、デッドタイム入力電圧が高くなるほど出力のオンデューティが大きくなる特性を持つものとする。前記入力端にはたとえば矩形波状の制御信号が入力され、抵抗Ｒ４には抵抗Ｒ３と比較して抵抗値の大きいものを用いることで、コンデンサＣ７の両端電圧は、制御信号がオンした時の立ち上がりが遅く、オフした時の立ち下がりが早い波形となる。オペアンプＯＰ１の出力電圧はコンデンサＣ７の両端電圧を積分した値となり、この出力電圧を抵抗Ｒ５およびコンデンサＣ８で整流・平滑したものがデューティ制御回路１０のデッドタイム入力電圧となるので、デッドタイム入力電圧は抵抗Ｒ４およびコンデンサＣ７からなる時定数回路の時定数が小さいほど高くなる。
【００３３】
図７の例では、コンデンサＣ７として図４に示した温度特性を持つ感温素子を採用し、且つコンデンサＣ７の周囲温度にバルブ２の周囲温度が反映されるようにコンデンサＣ７をバルブ２に近接配置する。これにより、バルブ２の周囲温度が所定温度から低下あるいは上昇した際に、コンデンサＣ７の静電容量は低下し抵抗Ｒ４およびコンデンサＣ７からなる時定数回路の時定数が小さくなるので、デッドタイム入力電圧は上昇してオンデューティが大きくなる。
【００３４】
以上説明した本実施形態の点灯装置１は、光出力の温度特性が比較的悪い無電極放電灯（たとえば、バルブ２内にアマルガムが封入されていないものや、インピーダンス変化が大きい数百ワットクラスの高出力のもの）４の点灯に使用する場合に特に有用である。
【００３５】
なお、本実施形態では時分割調光回路６の出力がオフするオフ期間において、高周波電源回路５のスイッチング周波数を高くすることで無電極放電灯４を不点灯としているが、この構成に限らず、たとえば高周波電源回路５のスイッチング周波数を低くすることで無電極放電灯４を不点灯としたり、スイッチング素子Ｑ１，Ｑ２のスイッチングを停止させて高周波電源回路５の出力を停止させたりする構成としてもよい。
【００３６】
（実施形態２）
本実施形態の点灯装置１は、図８に示すように時分割調光回路６の構成が実施形態１の点灯装置１と相違する。
【００３７】
本実施形態では、時分割調光回路６は、図１のコンデンサＣ４〜Ｃ６、抵抗Ｒ１，Ｒ２、ダイオードＤ２に代えて、直流電源部７の出力端間（つまり、平滑コンデンサＣ３の両端間）に接続されたサーミスタＲ６および抵抗Ｒ７の直列回路を備え、デューティ制御回路１０において出力のオンデューティを決定する制御端子（デッドタイムコントロール端子）１０ａに、サーミスタＲ６と抵抗Ｒ７との接続点が接続された構成を有している。これにより、直流電源部７の出力電圧をサーミスタＲ６および抵抗Ｒ７で分圧した電圧がデッドタイム入力電圧として印加される。
【００３８】
ここで、サーミスタＲ６として、図９に示すようにバルブ２の周囲温度の変化に対して温度低下時に抵抗値が大きくなる負の温度特性を有するサーミスタ（所謂ネガティブサーミスタ）を使用すると、温度低下時にデッドタイム入力電圧が低下するので、オンデューティの温度特性は低温時（温度低下時）に大きくなる特性となる。このように、時分割調光回路６の出力のオンデューティを決定する感温素子として、周囲温度が低下すると抵抗値が増大するサーミスタ等の抵抗素子を用いたことにより、光出力の低下が特に著しい低温時において無電極放電灯４の光出力の低下を抑制できるという利点がある。
【００３９】
なお、サーミスタＲ６の代わりに、温度低下に伴って抵抗値が増加する感温抵抗を用いてもよい。また、本実施形態において、高温時における無電極放電灯４の光出力の低下を抑制する場合には、抵抗Ｒ７とサーミスタＲ６とを入れ替えるか、あるいはサーミスタＲ６として正の温度特性を有するサーミスタ（所謂ポジティブサーミスタ）を用いるようにすればよい。
【００４０】
その他の構成および機能は実施形態１と同様である。
【００４１】
（実施形態３）
本実施形態の点灯装置１は、図１０に示すように時分割調光回路６の構成が実施形態１の点灯装置１と相違するものである。
【００４２】
本実施形態では、時分割調光回路６のデューティ制御回路１０は、制御端子としてのフィードバック端子１０ａに接続される抵抗の抵抗値によって出力のオンデューティを決定する集積回路（たとえばルネサステクノロジ社製のＭ６２２１２）からなる。さらに、時分割調光回路６は、図１のコンデンサＣ４〜Ｃ６、抵抗Ｒ１，Ｒ２、ダイオードＤ２に代えて、デューティ制御回路１０の制御端子１０ａと回路グランドとの間に接続される感温抵抗Ｒ８を備えている。
【００４３】
ここで、デューティ制御回路１０は、制御端子１０ａに接続される抵抗の抵抗値が大きくなるほどオンデューティを小さくする特性を有し、感温抵抗Ｒ８は、図１１に示すように示すようにバルブ２の周囲温度の変化に対して温度上昇時に抵抗値が大きくなる略リニアの正の温度特性を持つ。したがって、オンデューティの温度特性は低温時（温度低下時）に大きくなる特性となる。このように、時分割調光回路６の出力のオンデューティを制御する素子として、周囲温度が低下すると抵抗値が減少する感温抵抗等の感温素子を用いたことで、光出力の低下が特に著しい低温時において無電極放電灯４の光出力の低下を抑制することができるという利点がある。
【００４４】
なお、本実施形態において、高温時における無電極放電灯４の光出力の低下を抑制する場合には、感温抵抗Ｒ８として温度低下時に抵抗値が小さくなる負の温度特性を持つ感温抵抗を用いるようにすればよい。
【００４５】
その他の構成および機能は実施形態１と同様である。
【００４６】
ところで、上記各実施形態の点灯装置１を用いた照明器具の例として、図１２および図１３に示すような照明器具Ａが考えられる。図１２に示す照明器具Ａの筐体１１は内部に点灯装置１および無電極放電灯４を具備し、内部空間を密閉することにより防水性能が付与されたものであって、街路灯として屋外で使用される。また、図１３に示す照明器具Ａの筐体１１も内部空間を密閉することで防水性能が付与されたものであって、電柱１２等に取り付けられ防犯灯として屋外で使用される。ここにおいて、時分割調光回路６の感温素子がバルブ２と同一の密閉空間（筐体内）に収納されることで、バルブ２の周囲温度が感温素子の周囲温度に反映される。このように温度変化の生じやすい屋外で使用される照明器具Ａにあっては、無電極放電灯４の調光点灯時における温度変化に伴う光出力の低下を抑制できる本発明の点灯装置１を採用することは特に有用である。
【図面の簡単な説明】
【００４７】
【図１】本発明の実施形態１の構成を示す概略回路図である。
【図２】同上の時分割調光回路の出力波形を示す説明図である。
【図３】同上のデューティ制御回路の特性を示す説明図である。
【図４】同上の感温素子の温度特性を示す説明図である。
【図５】同上のオンデューティの温度特性を示す説明図である。
【図６】同上の無電極放電灯の光出力の温度特性を示す説明図である。
【図７】同上の時分割調光回路の他の構成例を示す概略回路図である。
【図８】本発明の実施形態２の構成を示す概略回路図である。
【図９】同上の感温素子の温度特性を示す説明図である。
【図１０】本発明の実施形態３の時分割調光回路を示す概略回路図である。
【図１１】同上の感温素子の温度特性を示す説明図である。
【図１２】本発明を用いた照明器具を示し一部破断した正面図である。
【図１３】本発明を用いた照明器具を示す斜視図である。
【符号の説明】
【００４８】
１  無電極放電灯点灯装置
２  バルブ
３  誘導コイル
４  無電極放電灯
５  高周波電源回路
６  時分割調光回路
１０  デューティ制御回路
１０ａ  制御端子
Ａ  照明器具
Ｃ４，Ｃ７  コンデンサ（感温素子）
Ｒ６  サーミスタ（感温素子）
Ｒ８  感温抵抗（感温素子）
【図１】
2009176685.tif 000003
【図２】
2009176685.tif 000004
【図３】
2009176685.tif 000005
【図４】
2009176685.tif 000006
【図５】
2009176685.tif 000007
【図６】
2009176685.tif 000008
【図７】
2009176685.tif 000009
【図８】
2009176685.tif 000010
【図９】
2009176685.tif 000011
【図１０】
2009176685.tif 000012
【図１１】
2009176685.tif 000013
【図１２】
2009176685.tif 000014
【図１３】
2009176685.tif 000015